(57)【要約】【課題】印刷ジョブ発行機能のメインテナンスが容易で、画像形成装置において設定された印刷条件における指示を適切に実行することが可能なプッシュ型プル印刷システムを提供する。【解決手段】サーバと画像形成装置とから構成され、前記サーバから前記画像形成装置に、印刷データとその印刷条件の指示コマンドとを記述した印刷ジョブを発行することにより、前記画像形成装置に印刷処理を実行させるプッシュ型プル印刷システムであって、前記画像形成装置は、印刷条件の入力を受け取り、前記サーバに送信する際に、当該印刷条件を、前記画像形成装置が解析可能な記述言語の指示コマンドに変換して（Ｓ１５２０）、前記サーバに送信し（Ｓ１５２１）、前記サーバは、前記画像形成装置から変換後の指示コマンドを受信し、当該指示コマンドを印刷条件の指示コマンドとして含む印刷ジョブを前記画像形成装置に発行する。【選択図】図１１
2008217104.tif 000002
【特許請求の範囲】
【請求項１】
サーバと画像形成装置とから構成され、前記サーバから、印刷データとその印刷条件の指示コマンドとを記述した印刷ジョブを、前記画像形成装置に発行することにより、前記画像形成装置に印刷処理を実行させるプッシュ型プル印刷システムであって、
前記画像形成装置は、
印刷条件の入力を受け取る入力受取手段と、
入力された印刷条件を前記サーバに送信する際に、当該印刷条件を、前記画像形成装置が解析可能な記述言語の指示コマンドに変換する変換手段と、
前記変換手段によって変換された指示コマンドを前記サーバに送信する送信手段と
を有し、
前記サーバは、
前記画像形成装置から、前記変換手段によって変換された指示コマンドを受信し、当該指示コマンドを、印刷条件の指示コマンドとして含む印刷ジョブを前記画像形成装置に発行するジョブ発行手段を有する
ことを特徴とするプッシュ型プル印刷システム。
【請求項２】
前記印刷条件の入力には、ユーザの認証情報が含まれ、
前記ユーザの認証情報は、暗号化された後に指示コマンドに変換されて前記サーバへ送信され、
前記画像形成装置は、
前記サーバから発行された、前記変換手段によって変換された指示コマンドを、印刷条件の指示コマンドとして含む印刷ジョブを解析して、前記ユーザ認証情報を取得し、復号化する復号化手段と、
復号化された前記ユーザ認証情報と、登録されている登録認証情報との照合を行う照合手段と、
前記照合がされた場合に、印刷処理を実行する印刷手段と
を有することを特徴とする請求項１記載のプッシュ型プル印刷システム。
【請求項３】
前記印刷ジョブに記述されている印刷条件の指示コマンドの記述言語は、プリンタジョブ言語（ＰＪＬ）であり、前記印刷ジョブに記述されている印刷データの記述言語は、ページ記述言語（ＰＤＬ）である
ことを特徴とする請求項１又は２に記載のプッシュ型プル印刷システム。
【請求項４】
プッシュ型プル印刷システムにおいて、サーバから発行される、印刷データとその印刷条件の指示コマンドとを記述した印刷ジョブにより、印刷処理を実行する画像形成装置であって、
印刷条件の入力を受け取る入力受取手段と、
入力された印刷条件を前記サーバに送信する際に、当該印刷条件を、前記画像形成装置が解析可能な記述言語の指示コマンドに変換する変換手段と、
前記変換手段によって変換された指示コマンドを、印刷ジョブに含めるべき印刷条件の指示コマンドとして、前記サーバに送信する送信手段と
を備えることを特徴とする画像形成装置。
【請求項５】
前記印刷条件の入力には、ユーザの認証情報が含まれ、
前記ユーザの認証情報は、暗号化された後に指示コマンドに変換されて前記サーバへ送信され、
前記画像形成装置は、
前記サーバから発行された、前記変換手段によって変換された指示コマンドを、印刷条件の指示コマンドとして含む印刷ジョブを解析して、前記ユーザ認証情報を取得し、復号化する復号化手段と、
復号化された前記ユーザ認証情報と、登録されている登録認証情報との照合を行う照合手段と
前記照合がされた場合に、印刷処理を実行する印刷手段と
を有することを特徴とする請求項４記載の画像形成装置。
【請求項６】
前記印刷ジョブに記述されている印刷条件の指示コマンドの記述言語は、プリンタジョブ言語（ＰＪＬ）であり、前記印刷ジョブに記述されている印刷データの記述言語は、ページ記述言語（ＰＤＬ）である
ことを特徴とする請求項４又は５に記載の画像形成装置。
【請求項７】
サーバと画像形成装置とから構成され、前記サーバから、印刷データとその印刷条件の指示コマンドとを記述した印刷ジョブを前記画像形成装置に発行することにより、前記画像形成装置に印刷処理を実行させるプッシュ型プル印刷システムに用いるプル印刷方法であって、
前記画像形成装置において、
印刷条件の入力を受け取り、入力された印刷条件を前記サーバに送信する際に、当該印刷条件を、前記画像形成装置が解析可能な記述言語の指示コマンドに変換し、変換された指示コマンドを前記サーバに送信し、
前記サーバにおいて、
前記画像形成装置から送信された指示コマンドを受信し、当該指示コマンドを、印刷条件の指示コマンドとして含む印刷ジョブを前記画像送信装置に発行する
ことを特徴とするプル印刷方法。
【発明の詳細な説明】
【技術分野】
【０００１】
本発明は、プッシュ型プル印刷システムに関し、特に印刷ジョブの発行により、印刷処理内容を制御する技術に関する。
【背景技術】
【０００２】
近年、コピー、印刷、ファックス送信等の各種機能を備えた画像形成装置（ＭＦＰ（Multi-Function Peripheral）と呼ばれる。）と、当該画像形成装置に印刷データを提供するサーバとがＬＡＮ等のネットワークで接続されて構成されるプル印刷システムが利用されるようになってきている。
プル印刷システムには、プル型とプッシュ型があり、プル型では、画像形成装置側からの印刷ジョブ取得要求により、サーバから印刷ジョブを取得し、当該印刷ジョブにおいて指定されている印刷データの格納先から、印刷データを取得することにより、印刷処理が実行され、プッシュ型では、画像形成装置からの印刷データ及び印刷条件の指示に応じて、サーバ側から発行される、印刷データとその印刷条件の指示コマンドを記述した印刷ジョブを画像形成装置が受け取ることにより、印刷処理が実行される。
【０００３】
図１４は、プッシュ型のプル印刷システムにおける印刷処理の流れをイメージ的に表した図である。
図１４の符号５０は、画像形成装置を示し、符号６０は、サーバを示し、符号５００は、第一印刷指示情報を示す。
第一印刷指示情報５００は、画像形成装置５０からサーバ６０へ印刷対象ファイルと印刷条件の指示をするために、サーバ６０に送信される情報であり、符号５０１で示す印刷データ指定情報と、符号５０２で示す印刷設定情報とから構成される。
【０００４】
印刷データ指定情報５０１は、印刷を要求する印刷対象ファイルのファイル名及び画像形成装置５０の識別情報を含む情報である。
印刷設定情報５０２は、画像形成装置５０において設定入力された印刷条件の指示を示す印刷設定情報（例えば、印刷部数、給紙トレイの指定、印刷後の処理（ホッチキス止め、穴あけなど）の指示、印刷形式（両面印刷、片面印刷など）の指示に関する情報）である。
【０００５】
図１４の符号６００は、印刷ジョブを示す。
印刷ジョブ６００は、サーバ６０によって発行され、画像形成装置５０に対して、印刷処理を実行させるための情報であり、符号６０２で示す第一ＰＪＬ（Printer Job Language）記述印刷設定情報、符号６０１で示すＰＪＬ記述印刷管理情報、符号６０３で示すＰＤＬ（Page Description Language）記述印刷データから構成される。
【０００６】
ここで、ＰＤＬは、印刷のためのページ記述や描画に関する情報を記述するための言語であり、Ａｄｏｂｅ社のＰｏｓｔＳｃｒｉｐｔ、米ヒューレッド・パッカード社のＰＣＬ（Page Control Language）、リコー社のＲＰＣＳ（Refined Printing Command Stream）等がある。
又、ＰＪＬは、米国のヒューレットパッカード社が印刷装置の制御用に開発した言語である。
【０００７】
第一ＰＪＬ記述印刷設定情報６０２は、サーバ６０が、印刷設定情報５０２の記述言語を、画像形成装置５０の印刷装置が解析可能なＰＪＬコマンドに変換することにより作成される。
ＰＪＬ記述印刷管理情報６０１は、サーバ６０によって作成される、印刷ジョブを管理するための情報であり、具体的には印刷ジョブの識別子、その出力先の画像形成装置の識別情報などからなる情報であり、ＰＪＬで記述されている。
【０００８】
ＰＤＬ記述印刷データ６０３は、印刷対象ファイルのデータ内容を示すデータであり、ＰＤＬで記述されており、サーバ６０が、印刷対象ファイルのデータ形式を、画像形成装置５０の印刷装置において解析可能なＰＤＬのデータ形式に変換することにより、作成する。
上記プッシュ型のプル印刷システムにおいては、画像形成装置５０からサーバ６０へ第一印刷指示情報５００を送信することにより、サーバ６０によって、印刷対象ファイルのデータとその印刷条件の指示の記述言語が、画像形成装置５０の印刷装置によって、解析可能な記述言語（ＰＪＬ、ＰＤＬ）に変換された印刷ジョブ６００が発行され、画像形成装置５０は、発行された印刷ジョブ６００に基づいて、符号７００で示す印刷処理を実行する。
【０００９】
このように、プッシュ型のプル印刷システムにおいては、印刷ジョブの記述言語が、画像形成装置側の印刷装置で解析可能な言語に変換された上で、サーバ側から発行されるので、機種やメーカーの異なる画像形成装置が含まれている場合においても、ＰＤＬに変換された印刷対象ファイルのデータ形式の種類にあわせて、解析可能な複数のインタプリタを各画像形成装置にインストールする必要がなく、サーバから送信された印刷ジョブに基づいて、印刷処理を容易に実行することができるというメリットがある。
【００１０】
さらに、印刷処理にトラブルが有った場合においても、サーバ側から、印刷ジョブを再発行することにより、容易に再印刷することができる。
又、通常の印刷プロトコール（ＬＰＲ（Ｌｉｎｅ Ｐｒｉｎｔｅｒ Ｄａｅｍｏｎ Ｐｒｏｔｏｃｏｌ）など）を用いて印刷処理を実行することができ、画像形成装置側の通信制御に要する負荷が少なくてすむというメリットもある。
【００１１】
特許文献１には、上記プッシュ型のプル印刷システムの一例が示されている。
【特許文献１】実開２００４−２２０３５４号公報
【発明の開示】
【発明が解決しようとする課題】
【００１２】
しかしながら、ＰＪＬは、形式が比較的単純なＡＳＣＩＩ（American Standard Code for Information Interchange）形式のデータであり、多くの製造業者が、独自の拡張を行って、種々の印刷機能の実行コマンドとして用いているため、そのような独自設定のＰＪＬコマンドを用いる画像形成装置が新たにプッシュ型のプル印刷システムに組み込まれると、印刷ジョブ発行の際に行われる、設定された印刷条件の指示の記述言語の変換に支障をきたさないようにするために、その都度、サーバ側に、新たな印刷条件の指示に対応付けて、独自設定のＰＪＬコマンドを追加登録しなければならず、サーバ側における印刷ジョブ発行機能のメインテナンスに労力を要するという問題が生じる。
【００１３】
さらに、当該ＰＪＬコマンドの追加登録を省略した場合には、画像形成装置側において設定された印刷条件において指示されている一部の印刷機能が実行されないという問題が生じる。
本発明は、上記の問題点に鑑み、プッシュ型のプル印刷システムに画像形成装置が新たに追加された場合においても、印刷ジョブ発行機能のメインテナンスが容易で、当該画像形成装置において設定された印刷条件における指示を適切に実行することが可能なプッシュ型プル印刷システム、プル印刷方法、及び画像形成装置を提供することを目的とする。
【課題を解決するための手段】
【００１４】
上記課題を解決するために、本発明は、サーバと画像形成装置とから構成され、前記サーバから、印刷データとその印刷条件の指示コマンドとを記述した印刷ジョブを、前記画像形成装置に発行することにより、前記画像形成装置に印刷処理を実行させるプッシュ型プル印刷システムであって、前記画像形成装置は、印刷条件の入力を受け取る入力受取手段と、入力された印刷条件を前記サーバに送信する際に、当該印刷条件を、前記画像形成装置が解析可能な記述言語の指示コマンドに変換する変換手段と、前記変換手段によって変換された指示コマンドを前記サーバに送信する送信手段とを有し、前記サーバは、前記画像形成装置から、前記変換手段によって変換された指示コマンドを受信し、当該指示コマンドを、印刷条件の指示コマンドとして含む印刷ジョブを前記画像形成装置に発行するジョブ発行手段を有する構成とすることができる。
【００１５】
又、本発明は、プッシュ型プル印刷システムにおいて、サーバから発行される、印刷データとその印刷条件の指示コマンドとを記述した印刷ジョブにより、印刷処理を実行する画像形成装置であって、印刷条件の入力を受け取る入力受取手段と、入力された印刷条件を前記サーバに送信する際に、当該印刷条件を、前記画像形成装置が解析可能な記述言語の指示コマンドに変換する変換手段と、前記変換手段によって変換された指示コマンドを、印刷ジョブに含めるべき印刷条件の指示コマンドとして、前記サーバに送信する送信手段とを備える構成とすることができる。
【００１６】
上記各構成において、前記印刷ジョブに記述されている印刷条件の指示コマンドの記述言語は、プリンタジョブ言語（ＰＪＬ）であり、前記印刷ジョブに記述されている印刷データの記述言語は、ページ記述言語（ＰＤＬ）であることとすることができる。
又、本発明は、サーバと画像形成装置とから構成され、前記サーバから、印刷データとその印刷条件の指示コマンドとを記述した印刷ジョブを前記画像形成装置に発行することにより、前記画像形成装置に印刷処理を実行させるプッシュ型プル印刷システムに用いるプル印刷方法であって、前記画像形成装置において、印刷条件の入力を受け取り、入力された印刷条件を前記サーバに送信する際に、当該印刷条件を、前記画像形成装置が解析可能な記述言語の指示コマンドに変換し、変換された指示コマンドを前記サーバに送信し、前記サーバにおいて、前記画像形成装置から送信された指示コマンドを受信し、当該指示コマンドを、印刷条件の指示コマンドとして含む印刷ジョブを前記画像送信装置に発行する構成とすることができる。
【発明の効果】
【００１７】
本発明は、上記構成を備えることにより、サーバ側で印刷条件の指示を、画像形成装置が解析可能な画像形成装置用の指示コマンドに変換するための変換処理を行う必要がないので、製造業者が独自設定した、特定の印刷条件を実行するための、画像形成装置用の指示を有する画像形成装置がプッシュ型プル印刷システムに新たに追加された場合においても、サーバ側において、上記変換処理を行うために、当該特定の印刷条件の指示と、当該特定の印刷条件を実行する画像形成装置用の指示コマンドとを対応付けて、追加登録する必要がなくなり、サーバ側における、印刷ジョブ発行機能のメインテナンスを容易に行うことができ、独自設定された画像形成装置用のコマンドを使用する印刷条件の設定が行われた場合においても、支障なく、画像形成装置に当該印刷条件を実行させることができる。
【００１８】
ここで、上記構成において、前記印刷条件の入力には、ユーザの認証情報が含まれ、前記ユーザの認証情報は、暗号化された後に指示コマンドに変換されて前記サーバへ送信され、前記画像形成装置は、前記サーバから発行された、前記変換手段によって変換された指示コマンドを、印刷条件の指示コマンドとして含む印刷ジョブを解析して、前記ユーザ認証情報を取得し、復号化する復号化手段と、復号化された前記ユーザ認証情報と登録されている登録認証情報との照合を行う照合手段と、前記照合がされた場合に、印刷処理を実行する印刷手段とを有することとしてもよい。
【００１９】
これにより、印刷処理の実行にユーザの認証を必要とする、認証印刷機能を有する画像形成装置が、プッシュ型プル印刷システムに含まれている場合においても、画像形成装置側で暗号化したユーザの認証情報を、画像形成装置が解析可能な記述言語に変換した上で、そのまま、サーバから発行される印刷ジョブに含められるので、サーバ側で、ユーザ認証情報の暗号化及び復号化のための特別な処理を行うことなく、認証印刷を実行することができ、又、ユーザ認証情報は、暗号化された状態で、サーバとの間で送受信されるので、ユーザ認証情報が外部に流出するのを防止することができる。
【発明を実施するための最良の形態】
【００２０】
以下本発明を実施するための最良の形態について、図面を参照しながら説明する。
＜構成＞
（プッシュ型プル印刷システム１００）
図１はプッシュ型プル印刷システム１００の構成を示す図である。
プッシュ型プル印刷システム１００は、画像形成装置１０１〜１０３及びサーバ１０４から構成されている。
【００２１】
各画像形成装置とサーバ１０４は、ＬＡＮ（Local Area Network）１０５で接続されている。
又、各画像形成装置は、電話回線などから構成される通信網１０６と接続されており、通信網１０６を介してファックス通信できるようにネットワークが構成されている。
（画像形成装置１０１、１０２、１０３）
（ハードウェア構成）
本実施の形態の画像形成装置１０１、１０２、１０３は、マイクロプロセッサ、ＲＯＭ、ＲＡＭ、ハードディスクユニット、指示を入力するための操作パネル（タッチパネル又は複数の入力キーと液晶ディスプレイ等から構成されるパネル）、スキャナー、レーザ印刷機などの画像印刷機等からなるプリンタ、ファクシミリなどから構成される。前記ＲＡＭ又は前記ハードディスクユニットには、コンピュータプログラムが記憶されている。前記マイクロプロセッサが、前記コンピュータプログラムに従って動作することにより、画像形成装置１０１〜１０３は、以下の機能構成において説明する各機能を達成する。ここで、コンピュータプログラムは、所定の機能を達成するために、コンピュータに対する指令を示す命令コードが複数個組み合わされて構成されたものである。
【００２２】
（機能構成）
画像形成装置１０１、１０２、１０３は、それぞれ同様の機能構成を有し、以下、画像形成装置１０１の機能構成を例として説明する。
図２は、画像形成装置１０１の機能構成を示す機能ブロック図である。図２に示すように、画像形成装置１０１は、通信制御部１１０、能力情報記憶部１１１、登録認証情報記憶部１１２、画像読取部１１３、モデム１１４、ＦＡＸ通信制御部１１５、網制御部１１６、操作パネル部１１７、印刷コマンド生成部１１８、中央制御部１１９、印刷装置１２０から構成される。
【００２３】
（通信制御部１１０）
ＬＡＮ１０５に接続するためのインターフェースであり、ＬＡＮ１０５に接続されている画像形成装置１０２．１０３、サーバ１０４との間の通信を制御する。上記通信の制御は、ＴＣＰ(Transmission Control Protocol）／ＩＰ(Internet Protocol）、ＬＰＲ、ＲＡＷ、ＩＰＰ（Internet Printing Protocol）等の所定のプロトコールを用いて行われる。
【００２４】
（能力情報記憶部１１１）
画像形成装置１０１の識別情報、画像形成装置１０１において解析可能なＰＤＬのデータ形式や画像形成装置１０１において使用可能な印刷プロトコールに関する情報を記憶している。
（登録認証情報記憶部１１２）
画像形成装置１０１の使用許可者として、予め登録された各ユーザの登録認証情報と、後述するユーザ認証情報を暗号化及び復号化するための共通鍵方式の暗号鍵を記憶している。
【００２５】
ここで、「登録認証情報」とは、上記各使用許可者のユーザＩＤとパスワードとから構成される情報のことをいう。
（画像読取部１１３）
スキャナーなどの画像入力装置から構成され、紙文書に記録された文字、図面、表、写真等の画像を、内部に備える光源で照射し、反射像をレンズで固体撮像素子上に結像し、固体撮像素子を介して画像信号に変換し、画像データを生成する。
【００２６】
（モデム１１４）
通信相手となる外部の画像形成装置に通信網１０６を介して送信される送信信号の変調、及び通信相手先の画像形成装置から通信網１０６を介して受信される受信信号の復調を行うために用いられる。
（ＦＡＸ通信制御部１１５）
モデム１１４を介して、通信相手先の画像形成装置に送信する送信信号の変調及び通信相手先の画像形成装置から受信される受信信号の復調を行う。
【００２７】
又、網制御部１１６を介して、通信網１０６に接続し、通信相手先の画像形成装置と通信する。
（網制御部１１６）
通信網１０６と接続するのに用いられる。
（操作パネル部１１７）
複数の入力キーと図１の符号１１７１で示す表示部（例えば、液晶ディスプレイ）を備え、表示部１１７１の表面にはタッチパネルが積層されている。タッチパネルからのタッチ入力又は入力キーからのキー入力により、ユーザからの指示を受取り、中央制御部１１９に通知する。
【００２８】
操作パネル部１１７は、後述する指示情報送信処理において、サーバ１０４から取得される、印刷対象ファイルのファイル名とディレクトリ名との対応関係を示すファイル一覧情報に基づいて、印刷データの指定を受け取るためのＧＵＩ（Graphic User Interface）表示画面（以下、「印刷データ指定画面」という。）を表示部１１７１に表示する。
図５は、印刷データ指定画面の具体例を示す。図５では、印刷対象ファイルとして、ファイル１〜ファイル５０が、そのディレクトリ名とともに表示されていることを示し、印刷データ指定画面において、四角で囲まれたファイル２が指定された状態にあることを示す。
【００２９】
又、操作パネル部１１７は、後述する第二指示情報送信処理において、印刷条件の設定入力を受け取るためのＧＵＩ表示画面（以下、「印刷条件設定画面」という。）を表示部１１７１に表示する。
図６は、印刷条件設定画面の具体例を示す。図６では、印刷条件として、ユーザ名、コピー部数、給紙トレイ、印刷形式、ユーザＩＤとパスワードからなるユーザ認証情報等が設定されていることが示されている。
【００３０】
（印刷コマンド生成部１１８）
中央制御部１１９より入力された、後述する入力又はデフォルト印刷設定情報の記述言語をＰＪＬコマンドに変換して、第二ＰＪＬ記述印刷設定情報を生成した後、中央制御部１１９に出力する。
図７は、第二ＰＪＬ記述印刷設定情報の具体例を示す。図７には、図６に示す印刷条件設定画面において設定された入力印刷設定情報の記述言語を、ＰＪＬコマンドに変換して生成された第二ＰＪＬ記述印刷設定情報が示されている。例えば、図７に示す「@PJL SET USERNAME = “User 1”は、図６における「ユーザ名：Ｕｓｅｒ１」の設定を、ＰＪＬコマンドに変換したものであり、同様に図７に示す「@PJL SET QTY =5」は、図６における「コピー部数：５」の設定を、ＰＪＬコマンドに変換したものである。
【００３１】
（中央制御部１１９）
画像形成装置１０１の全体の制御、第二印刷指示情報の生成処理、印刷ジョブ取得処理、登録認証情報取得処理を行う。
（第二印刷指示情報の生成処理）
印刷データ指定画面を介して、ユーザによって印刷対象ファイル名が指定されると、能力情報記憶部１１１から画像形成装置１０１の識別情報を取得し、取得した識別情報と指定された印刷対象ファイル名とを含む印刷データ指定情報を生成する。
【００３２】
次に印刷条件設定画面からのユーザによる印刷条件の設定入力が完了すると、設定入力された印刷条件を示す情報（以下、「入力印刷設定情報」という。）を印刷コマンド生成部１１８に出力して、当該入力印刷設定情報の記述言語をＰＪＬコマンドに変換させて、第二ＰＪＬ記述印刷設定情報を生成させる。
なお、上記印刷条件設定画面において、設定入力が行われなかった場合には、予め設定されたデフォルトの印刷条件を示す情報（以下、「デフォルト印刷設定情報」という。）を印刷コマンド生成部１１８に出力して、当該デフォルト印刷設定情報の記述言語をＰＪＬコマンドに変換させて、第二ＰＪＬ記述印刷設定情報を生成させる。
【００３３】
又、印刷条件として、ユーザ認証情報が設定入力された場合には、中央制御部１１９は、当該ユーザ認証情報を、登録認証情報記憶部１１２に記憶されている暗号鍵を用いて暗号化した後、印刷コマンド生成部１１８に出力される。
次に、印刷コマンド生成部１１８より、第二ＰＪＬ記述印刷設定情報が入力されると、生成した印刷データ指定情報と入力された第二ＰＪＬ記述印刷設定情報とを含む第二印刷指示情報を生成し、生成した第二印刷指示情報を、通信制御部１１０を介してサーバ１０４に送信する。
【００３４】
図８は、第二印刷指示情報の具体例を示す。
（印刷ジョブ取得処理）
サーバ１０４から発行された印刷ジョブが、通信制御部１１０によって受信されると、受信された印刷ジョブを通信制御部１１０から取得して、印刷装置１２０に出力する。
ここで、「印刷ジョブ」とは、第一ＰＪＬ記述印刷設定情報の代わりに第二ＰＪＬ記述印刷設定情報を含む点を除いて、背景技術において説明した印刷ジョブ６００と同様の情報を含む情報のことをいう。
【００３５】
（登録認証情報取得処理）
印刷装置１２０からの要求に応じて、対応するユーザＩＤの登録認証情報及び暗号鍵を登録認証情報記憶部１１２より取得し、印刷装置１２０に出力する。
（印刷装置１２０）
図３は、印刷装置１２０の機能構成を示す機能ブロック図である。
【００３６】
印刷装置１２０は、印刷コマンド解析部１２１、認証処理部１２２、印刷処理部１２３から構成される。
（印刷コマンド解析部１２１）
ＰＤＬ解析部１２１１とＰＪＬ解析部１２１２から構成される。
（ＰＤＬ解析部１２１１）
中央制御部１１９より入力された印刷ジョブから、ＰＤＬ記述印刷データを取得して、ＰＤＬ用のインタプリタで解析して、解析結果を認証処理部１２２に出力する。
【００３７】
ここで、ＰＤＬ記述印刷データは、背景技術で説明したＰＤＬ記述印刷データ６０３と同様の内容の情報であり、印刷対象ファイルのデータ形式を画像形成装置１０１において解析可能なＰＤＬのデータ形式に変換したものであり、サーバ１０４によって作成される。
（ＰＪＬ解析部１２１２）
中央制御部１１９より入力された印刷ジョブから、ＰＪＬ記述印刷管理情報、第二ＰＪＬ記述印刷設定情報を取得して、ＰＪＬ用のインタプリタで解析して、解析結果を認証処理部１２２に出力する。
【００３８】
（認証処理部１２２）
ＰＪＬ解析部１２１２より入力された、第二ＰＪＬ記述印刷設定情報の解析結果から、暗号化されたユーザ認証情報を取得し、取得したユーザ認証情報を、登録認証情報記憶部１１２に記憶されている暗号鍵を用いて復号化する。
さらに、中央制御部１１９を介して、登録認証情報記憶部１１２に記憶されている各登録認証情報を取得し、復号化されたユーザ認証情報と取得した各登録認証情報とを照合することにより、ユーザ認証情報の認証処理を行う。
【００３９】
上記認証処理において照合ができた場合には、印刷コマンド解析部１２１から入力された解析結果を印刷処理部１２３に出力し、印刷処理を実行させ、照合ができなかった場合には、当該解析結果を印刷処理部１２３に出力することなく、印刷処理の実行を中止させる。
（印刷処理部１２３）
認証処理部１２２より、解析結果が入力されると、ＰＤＬ解析部１２１１によって解析された印刷データをラスタライズし、ＰＪＬ解析部１２１２によって解析された印刷条件に従って、ラスタライズした画像データに基づく画像を記録紙に印字する印刷処理を行う。
【００４０】
（サーバ１０４）
（ハードウェア構成）
本実施の形態のサーバ１０４は、マイクロプロセッサ、ＲＯＭ、ＲＡＭ、ハードディスクユニット、指示入力するためのキーボード、マウス、液晶ディスプレイやＣＲＴなどから構成されるディスプレイユニットなどから構成される。前記ＲＡＭ又は前記ハードディスクユニットには、コンピュータプログラムが記憶されている。前記マイクロプロセッサが、前記コンピュータプログラムに従って動作することにより、サーバ１０４は、以下の機能構成において説明する各機能を達成する。
【００４１】
（機能構成）
図４は、サーバ１０４の機能構成を示す機能ブロック図である。
サーバ１０４は、通信制御部１４０、印刷ジョブ生成部１４１、装置情報記憶部１４２、印刷ファイル記憶部１４３、制御部１４４から構成される。
（通信制御部１４０）
ＬＡＮ１０５と接続するためのインターフェースであり、ＬＡＮ１０５に接続されている画像形成装置１０１、１０２．１０３との間の通信を制御する。上記通信の制御は、ＴＣＰ／ＩＰ、ＬＰＲ、ＲＡＷ、ＩＰＰ等の所定のプロトコールを用いて行われる。
【００４２】
（装置情報記憶部１４２）
プッシュ型プル印刷システム１００に属する各画像形成装置（画像形成装置１０１〜１０３）のネットワークアドレス、各画像形成装置において解析可能なＰＤＬのデータ形式、各画像形成装置において使用可能な印刷プロトコールに関する情報を記憶している。
（印刷ファイル記憶部１４３）
複数の印刷対象ファイルと、各印刷対象ファイルのファイル名とディレクトリ名との対応関係を示すファイル一覧情報を記憶している。
【００４３】
（制御部１４４）
制御部１４４は、操作パネル表示制御部１４４１、装置情報管理部１４４２、印刷ジョブ発行制御部１４４３、印刷ファイル管理部１４４４から構成される。
（操作パネル表示制御部１４４１）
画像形成装置１０１からのファイル一覧情報の取得要求に応じて、印刷ファイル記憶部１４３に記憶されているファイル一覧情報を読出し、通信制御部１４０を介して画像形成装置１０１に送信する。
【００４４】
（装置情報管理部１４４２）
ＬＡＮ１０５に接続されている各画像形成装置と、通信制御部１４０を介して通信し、各画像形成装置から、能力情報記憶部１１１に記憶されている情報を取得し、装置情報記憶部１４２に記憶させる。上記処理は、定期的に行われ、情報が更新される。
（印刷ジョブ発行制御部１４４３）
ＬＡＮ１０５に接続されている画像形成装置（例えば、画像形成装置１０１）から送信される第二印刷指示情報を、通信制御部１４０を介して受信すると、第二印刷指示情報から第二ＰＪＬ記述印刷設定情報と、印刷データ指定情報を取得し、印刷データ指定情報の示す印刷対象ファイル名を印刷ファイル管理部１４４４に通知し、印刷ファイル管理部１４４４より、当該印刷対象ファイル名の印刷対象ファイルを取得し、さらに、装置情報管理部１４４２に印刷データ指定情報の示す画像形成装置の識別情報を通知し、当該画像形成装置において処理可能なＰＤＬのデータ形式に関する情報（以下、「ＰＤＬデータ形式情報」という。）を装置情報管理部１４４２より取得する。
【００４５】
次に、印刷ジョブ発行制御部１４４３は、印刷ジョブの識別番号を作成し、当該印刷ジョブの識別番号と印刷データ指定情報の示す画像形成装置の識別情報とを含む印刷管理情報を生成する。
次に、印刷ジョブ発行制御部１４４３は、取得した第二ＰＪＬ記述印刷設定情報、印刷対象ファイル、ＰＤＬデータ形式情報、及び生成した印刷管理情報を印刷ジョブ生成部１４１に出力し、印刷ジョブを生成させ、生成された印刷ジョブを印刷ジョブ生成部１４１より取得し、通信制御部１４０を介して、第二印刷指示情報の送信元の画像形成装置（ここでは、画像形成装置１０１）に送信する。
【００４６】
又、印刷ジョブ発行制御部１４４３は、取得した印刷ジョブを一時的に保持し、当該印刷ジョブの送信先の画像形成装置（ここでは、画像形成装置１０１）から送信される、印刷ジョブ完了の通知を、通信制御部１４０を介して受信すると、当該印刷ジョブを削除する。
（印刷ファイル管理部１４４４）
印刷対象ファイルの印刷ファイル記憶部１４３への記録、印刷ファイル記憶部１４３からの印刷対象ファイルの読出しの管理を行う。印刷対象ファイルの記録は、例えば、図示していないが、ＬＡＮ１０５に接続されているＰＣ（パーソナルコンピュータ）から送信される印刷対象ファイルを印刷ファイル管理部１４４４が、通信制御部１４０を介して受信し、印刷ファイル記憶部１４３に記録することにより行われる。
【００４７】
又、印刷対象ファイルの読出しは、印刷ジョブ発行制御部１４４３からの要求に応じて実行される。
（印刷ジョブ生成部１４１）
ＬＡＮ１０５に接続されている各画像形成装置のＰＤＬデータ形式情報の示すデータ形式に対応するプリンタドライバを複数有し、印刷データ形式変換処理、印刷管理情報データ形式変換処理、印刷ジョブ生成処理を行う。
【００４８】
（印刷データ形式変換処理）
印刷ジョブ発行制御部１４４３より、印刷ジョブの発行対象となる画像形成装置（ここでは、画像形成装置１０１）のＰＤＬデータ形式情報と、印刷対象ファイルの入力があると、当該ＰＤＬデータ形式情報の示すデータ形式に対応するプリンタドライバを用いて、入力された印刷対象ファイルのデータ形式を変換し、ＰＤＬ記述印刷データを生成する。
【００４９】
（印刷管理情報データ形式変換処理）
印刷ジョブ発行制御部１４４３より入力される、印刷管理情報の記述言語をＰＪＬに変換して、ＰＪＬ記述印刷管理情報を生成する。
（印刷ジョブ生成処理）
印刷データ形式変換処理によって生成されたＰＤＬ記述印刷データ、印刷管理情報データ形式変換処理によって生成されたＰＪＬ記述印刷管理情報、及び印刷ジョブ発行制御部１４４３より入力された、画像形成装置（ここでは、画像形成装置１０１）より送信された第二ＰＪＬ記述印刷設定情報から印刷ジョブを生成する。
【００５０】
図９は、印刷ジョブ生成部１４１によって生成される印刷ジョブの具体例を示す。
＜動作＞
（第二印刷指示情報送信処理）
図１１は、画像形成装置１０１の行う第二印刷指示情報送信処理の動作を示すフローチャートである。
【００５１】
以下、図１１を参照して、上記動作について説明する。なお、画像形成装置１０２、１０３も画像形成装置１０１と同様の動作を行う。
操作パネル部１１７を介して、ユーザから第二印刷指示情報送信処理の実行指示が入力されると、中央制御部１１９は、当該処理に係わるコンピュータプログラムを起動し（ステップＳ１５１１）、サーバ１０４からファイル一覧情報を、通信制御部１１０を介して取得し、当該ファイル一覧情報に基づいて、印刷データ指定画面を操作パネル部１１７の表示部１１７１に表示させる（ステップＳ１５１２）。
【００５２】
次に、表示された印刷データ指定画面を介して、ユーザから印刷対象ファイル名が指定されると（ステップＳ１５１３）、中央制御部１１９は、能力情報記憶部１１１から画像形成装置１０１の識別情報を取得し、取得した識別情報と指定された印刷対象ファイル名とを含む印刷データ指定情報を生成し、当該印刷データ指定情報を保存し（ステップＳ１５１４）、印刷条件設定画面を操作パネル部１１７に表示させ（ステップＳ１５１５）、当該印刷条件設定画面において、ユーザから設定入力がされたか否かを監視する（ステップＳ１５１６）。
【００５３】
ステップＳ１５１６において、設定入力された場合には（ステップＳ１５１６：Ｙ）、入力印刷設定情報を保存し（ステップＳ１５１７）、ステップＳ１５１６において、設定入力されなかった場合には、デフォルト印刷設定情報を保存する（ステップＳ１５１８）。
次に、操作パネル部１１７を介してユーザから印刷実行指示が入力されると（ステップＳ１５１９）、中央制御部１１９は、保存している入力印刷設定情報又はデフォルト印刷設定情報を印刷コマンド生成部１１８に出力する。
【００５４】
印刷コマンド生成部１１８は、入力された入力又はデフォルト印刷設定情報の記述言語をＰＪＬコマンドに変換して（ステップＳ１５２０）、第二ＰＪＬ記述印刷設定情報を生成し、中央制御部１１９に出力する。
中央制御部１１９は、印刷コマンド生成部１１８から入力された第二ＰＪＬ記述印刷設定情報と保存している印刷データ指定情報とを含む第二印刷指示情報を生成し、通信制御部１１０を介してサーバ１０４に送信する（ステップＳ１５２１）。
（印刷制御処理）
次に、画像形成装置１０１の行う印刷制御処理の動作について説明する。図１２は、画像形成装置１０１の行う印刷制御処理の動作を示すフローチャートである。
【００５５】
以下、図１２を参照して、上記動作について説明する。なお、画像形成装置１０２、１０３も画像形成装置１０１と同様の動作を行う。
中央制御部１１９は、サーバ１０４から送信された印刷ジョブを、通信制御部１１０を介して受信すると（ステップＳ１６０１）、印刷装置１２０に出力する。
印刷装置１２０は、中央制御部１１９から入力された印刷ジョブに含まれるＰＤＬ記述印刷データをＰＤＬ解析部１２１１において、当該印刷ジョブに含まれるＰＪＬ記述印刷管理情報、第二ＰＪＬ記述印刷設定情報をＰＪＬ解析部１２１２において、それぞれ解析し（ステップＳ１６０２）、第二ＰＪＬ記述印刷設定情報に含まれる、暗号化されたユーザ認証情報を、登録認証情報記憶部１１２に記憶されている暗号鍵を用いて復号化して、ユーザ認証情報を取得し（ステップＳ１６０３）、認証処理部１２２において、認証処理を実行し（ステップＳ１６０４）、当該ユーザ認証情報と登録認証情報との照合ができた場合には（ステップＳ１６０５：Ｙ）、印刷処理部１２３において、印刷処理を行い（ステップＳ１６０６）、中央制御部１１９に印刷ジョブが完了した旨の通知と、完了した印刷ジョブの識別番号の通知を行う。
【００５６】
中央制御部１１９は、印刷装置１２０から上記各通知を受け取ると、通信制御部１１０を介して、完了した印刷ジョブの識別番号をサーバ１０４に通知する（ステップＳ１６０７）。
ステップＳ１６０５において、照合ができなかった場合には、印刷装置１２０は、中央制御部１１９に印刷ジョブが完了した旨の通知と、完了した印刷ジョブの識別番号の通知を行い、ステップＳ１６０７の処理に移行する。
【００５７】
上記完了通知により、サーバ１０４において、発行した印刷ジョブの記録が削除される。
（印刷ジョブ発行処理）
次にサーバ１０４が行う印刷ジョブ発行処理の動作について説明する。図１３は、上記動作を示すフローチャートである。以下、図１３を参照して上記動作について説明する。
【００５８】
制御部１４４は、ＬＡＮ１０５に接続されている画像形成装置（ここでは、画像形成装置１０１）から送信された第二印刷指示情報を受信すると、第二印刷指示情報から第二ＰＪＬ記述印刷設定情報と、印刷データ指定情報を取得し（ステップＳ１７０１）、印刷ファイル記憶部１４３より、印刷データ指定情報の示す印刷対象ファイル名の印刷対象ファイルを取得し（ステップＳ１７０２）、さらに、印刷データ指定情報の示す画像形成装置の識別情報によって特定される画像形成装置（ここでは、画像形成装置１０１）のＰＤＬデータ形式情報を装置情報記憶部１４２より取得する（ステップＳ１７０３）。
【００５９】
次に、制御部１４４は、印刷ジョブの識別番号を生成し、生成した印刷ジョブの識別番号と印刷データ指定情報の示す画像形成装置の識別情報とを含む印刷管理情報を生成し（ステップＳ１７０４）、第二印刷指示情報から取得した第二ＰＪＬ記述印刷設定情報と、印刷ファイル記憶部１４３より取得した印刷対象ファイルと、装置情報記憶部１４２より取得したＰＤＬデータ形式情報と、生成した印刷管理情報とを印刷ジョブ生成部１４１に出力する。
【００６０】
印刷ジョブ生成部１４１は、入力された印刷対象ファイルを、ＰＤＬデータ形式情報の示すデータ形式に対応するプリンタドライバを用いて、印刷対象ファイルのデータ形式を変換し、ＰＤＬ記述印刷データを生成し（ステップＳ１７０５）、入力された印刷管理情報の記述言語をＰＪＬに変換し、ＰＪＬ記述印刷管理情報を生成し（ステップＳ１７０６）、生成したＰＤＬ記述印刷データとＰＪＬ記述印刷管理情報と、入力された第二ＰＪＬ記述印刷設定情報とから印刷ジョブを生成し（ステップＳ１７０７）、制御部１４４に出力する。
【００６１】
制御部１４４は、第二印刷指示情報の示す画像形成装置の識別情報と、装置情報記憶部１４２に記憶されている画像形成装置のネットワークアドレスに関する情報とに基づいて、第二印刷指示情報の送信元の画像形成装置のネットワークアドレスを特定し、入力された印刷ジョブを、通信制御部１４０を介して、特定した、第二印刷指示情報の送信元の画像形成装置（ここでは、画像形成装置１０１）のネットワークアドレスに送信する（ステップＳ１７０８）。
（プッシュ型プル印刷システム１００における全体の印刷処理の概要）
図１０は、プッシュ型プル印刷システム１００において行われる印刷処理全体の流れの概要をイメージ的に表した図である。
【００６２】
図１０において、符号１０１は、画像形成装置１０１を、符号１０４は、サーバ１０４を、符号１０００は、第二印刷指示情報を、符号１００１は、印刷データ指定情報を、符号１００２は、ＰＪＬコマンドに変換される前の印刷設定情報を、符号１１０２は、ＰＪＬコマンドに変換された後の第二ＰＪＬ記述印刷設定情報を、符号２０００は、印刷ジョブを、符号２００１は、ＰＪＬ記述印刷管理情報を、符号２００２は、ＰＤＬ記述印刷データを、符号３０００は、印刷処理をそれぞれ示す。
【００６３】
図１０に示すように、プッシュ型プル印刷システム１００においては、図１１に示す第二印刷指示情報の生成処理において、表示部１１７１に表示される印刷条件設定画面において設定された、印刷設定情報１００２（入力又はデフォルト印刷設定情報）が、サーバ１０４に送信される前に、画像形成装置１０１側で、その記述言語が、印刷装置１２０によって解析可能なＰＪＬコマンドに変換された後、第二ＰＪＬ記述印刷設定情報１１０２としてサーバ１０４に送信される。
【００６４】
そして、サーバ１０４においては、図１４に示す従来のプッシュ型プル印刷システムの場合のように、画像形成装置５０から送信された印刷設定情報５０２の記述言語を、サーバ６０でＰＪＬコマンドに変換することなく、送信された第二ＰＪＬ記述印刷設定情報１１０２をそのまま用いて、印刷ジョブ２０００が生成されて、画像形成装置１０１に送信され、印刷ジョブ２０００を受信した画像形成装置１０１において、印刷処理３０００が実行される。
【００６５】
これにより、サーバ側で印刷設定情報の記述言語を、印刷装置が解析可能なＰＪＬコマンドに変換する変換処理を行わなくてもすむので、製造業者が独自設定したＰＪＬコマンドを使用する画像形成装置がプッシュ型プル印刷システム１００に新たに追加された場合においても、サーバ側において、上記変換処理を行うために、独自設定したＰＪＬコマンドを、その都度、対応する印刷設定情報と対応付けて追加設定する必要がなくなり、サーバ側における、印刷ジョブ発行機能のメインテナンスを容易に行うことができ、独自設定されたＰＪＬコマンドに対応する印刷条件の設定が行われた場合においても、支障なく、印刷処理を実行させることができる。
＜補足＞
以上、本発明に係るプッシュ型プル印刷システム１００について、実施の形態に基づいて説明したが、本発明はこの実施の形態に限られないことは勿論である。
（１）本実施の形態においては、プッシュ型プル印刷システム１００に含まれるサーバの数を１つとしたが、サーバの数は、１つに限定されず、複数であってもよい。又、プッシュ型プル印刷システム１００に含まれる画像形成装置の数は、少なくとも１つ以上であればよい。
（２）本実施の形態では、印刷ファイル記憶部１４３に記憶している印刷対象ファイルのデータ形式をＰＤＬのデータ形式に変更することとしたが、印刷ファイル記憶部１４３において記憶する印刷対象ファイルのデータ形式は、ＰＤＬのデータ形式であってもよい。この場合は、当該ＰＤＬのデータ形式が、印刷ジョブの送信先の画像形成装置において解析可能なＰＤＬデータ形式と一致する場合には、当該印刷対象ファイルについては、印刷データ形式変換処理を行うことなく、そのまま、印刷ジョブとして発行することができる。
【００６６】
又、プッシュ型プル印刷システム１００に含まれる、全ての画像形成装置において、共通のＰＤＬデータ形式を解析可能なＰＤＬ解析部を設け、印刷ファイル記憶部１４３に記憶する印刷対象ファイルのＰＤＬデータ形式を、当該ＰＤＬ解析部において、解析可能な共通のＰＤＬデータ形式とすることとしてもよい。これにより、印刷データ形式変換処理を省略することができる。
【００６７】
又、印刷対象ファイルのデータ形式をラスタライズされた、ビットマップデータとすることとしてもよい。この場合においても、印刷データ形式変換処理を省略することができ、画像形成装置側にＰＤＬ用のインタプリタを設ける必要がなくなる。
（３）本実施の形態においては、印刷対象ファイルをサーバ１０４が記憶することとしたが、印刷対象ファイルを管理するファイルサーバを別に設け、ＬＡＮ１０５と接続させ、サーバ１０４が、印刷ジョブの発行時に、別に設けたファイルサーバから印刷対象ファイルを取得することとしてもよい。具体的には、サーバ１０４の構成要素の内、印刷ファイル管理部１４４４及び印刷ファイル記憶部１４３の有する機能を、別に設けたファイルサーバにもたせることとしてもよい。
（４）本実施の形態においては、第二印刷指示情報において指定する印刷対象ファイルの数を１つとしたが、複数の印刷対象ファイルを指定することとしてもよい。
【００６８】
この場合、印刷条件の設定は、印刷対象ファイル毎に別々に行うこととしてもよいし、指定した全ての印刷対象ファイルについて、共通の印刷条件を設定することとしてもよい。
この場合、指定された印刷対象ファイル毎に、印刷データ指定情報、入力又はデフォルト印刷設定情報、及び第二印刷指示情報を中央制御部１１９において作成し、サーバ１０４に送信することにより、各印刷対象ファイルの印刷処理に対応する印刷ジョブをサーバ１０４から発行させることができる。
【産業上の利用可能性】
【００６９】
本発明は、プッシュ型プル印刷システムに関し、特に印刷ジョブの発行により、印刷処理内容を制御する技術として利用できる。
【図面の簡単な説明】
【００７０】
【図１】プッシュ型プル印刷システム１００の構成を示す図である。
【図２】画像形成装置１０１の機能構成を示す機能ブロック図である。
【図３】印刷装置１２０の機能構成を示す機能ブロック図である。
【図４】サーバ１０４の機能構成を示す機能ブロック図である。
【図５】印刷データ指定画面の具体例を示す。
【図６】印刷条件設定画面の具体例を示す。
【図７】第二ＰＪＬ記述印刷設定情報の具体例を示す。
【図８】第二印刷指示情報の具体例を示す。
【図９】印刷ジョブ生成部１４１によって生成される印刷ジョブの具体例を示す。
【図１０】プッシュ型プル印刷システム１００において行われる印刷処理全体の流れの概要をイメージ的に表した図である。
【図１１】画像形成装置１０１の行う第二印刷指示情報送信処理の動作を示すフローチャートである。
【図１２】画像形成装置１０１の行う印刷制御処理の動作を示すフローチャートである。
【図１３】サーバ１０４が行う印刷ジョブ発行処理の動作を示すフローチャートである。
【図１４】プッシュ型のプル印刷システムにおける印刷処理の流れをイメージ的に表した図である。
【符号の説明】
【００７１】
１００          プッシュ型プル印刷システム
５０、１０１、１０２、１０３    画像形成装置
６０、１０４    サーバ
１０５          ＬＡＮ
１０６          通信網
１１０、１４０  通信制御部
１１１          能力情報記憶部
１１２          登録認証情報記憶部
１１３          画像読取部
１１４          モデム
１１５          ＦＡＸ通信制御部
１１６          網制御部
１１７          操作パネル部
１１８          印刷コマンド生成部
１１９          中央制御部
１２０          印刷装置
１２１          印刷コマンド解析部
１２２          認証処理部
１２３          印刷処理部
１４１          印刷ジョブ生成部
１４２          装置情報記憶部
１４３          印刷ファイル記憶部
１４４          制御部
１２１１        ＰＤＬ解析部
１２１２        ＰＪＬ解析部
１４４１        操作パネル表示制御部
１４４２        装置情報管理部
１４４３        印刷ジョブ発行制御部
１４４４        印刷ファイル管理部
【図１】
2008217104.tif 000003
【図２】
2008217104.tif 000004
【図３】
2008217104.tif 000005
【図４】
2008217104.tif 000006
【図５】
2008217104.tif 000007
【図６】
2008217104.tif 000008
【図７】
2008217104.tif 000009
【図８】
2008217104.tif 000010
【図９】
2008217104.tif 000011
【図１０】
2008217104.tif 000012
【図１１】
2008217104.tif 000013
【図１２】
2008217104.tif 000014
【図１３】
2008217104.tif 000015
【図１４】
2008217104.tif 000016